(57)【特許請求の範囲】
【請求項１】
基端部がピボットシャフトに固定されるアームヘッドと、
一対の側壁及び上壁を有して払拭面方向に開口する断面コ字状に形成され、払拭面から離間する方向に揺動可能に前記アームヘッドの先端部に連結されるリテーナと、
基端部が前記リテーナの先端部に前記上壁の裏面に重合状態で固定され、先端部にワイパブレードが連結されるアームピースと、
前記リテーナの前記一対の側壁間の内側に配置されたウォッシャノズルと、
前記リテーナに沿って配索され、前記ウォッシャノズルに洗浄液を供給する配管ホースと、
を備え、前記配管ホースから供給された洗浄液を前記ウォッシャノズルによって払拭面へ噴出するワイパアームにおいて、
前記ウォッシャノズルは、前記リテーナと前記アームピースとの重合部分における前記アームピース上に所定の姿勢で固定配置され、
前記リテーナと前記アームピースとの固定部は、前記ウォッシャノズルよりもリテーナ先端側において少なくとも１箇所設けられている、
ことを特徴とするワイパアーム。
【請求項２】
前記ウォッシャノズルは、前記リテーナの先端側に配置された第１ウォッシャノズルと前記リテーナの基端側に配置された第２ウォッシャノズルとを備え、
前記配管ホースによって前記第２ウォッシャノズルを経由して前記第１ウォッシャノズルに前記洗浄液が供給されると共に前記第１ウォッシャノズル及び第２ウォッシャノズルから前記払拭面へ前記洗浄液を噴出する、
ことを特徴とする請求項１記載のワイパアーム。
【請求項３】
前記リテーナの一対の側壁と前記第１ウォッシャノズル及び第２ウォッシャノズルとは互いに嵌合し合う凹凸部が設けられ、前記凹凸部は、互いに嵌合した状態において前記第１ウォッシャノズル及び第２ウォッシャノズルを前記リテーナに対して回転不能に保持する形状を成している、
ことを特徴とする請求項２記載のワイパアーム。
【請求項４】
前記リテーナと前記アームピースとの固定部は、前記第１ウォッシャノズルを挟んでリテーナの長手方向両側に設けられている、
ことを特徴とする請求項２または請求項３記載のワイパアーム。
【請求項５】
前記リテーナと前記アームピースとの固定部は、前記アームピースを前記リテーナの前記上壁裏面に重合した状態で前記リテーナの前記一対の側壁をそれぞれ内側に平板状に折り返して把持した把持固定部である、
ことを特徴とする請求項１乃至請求項４の何れか１項に記載のワイパアーム。
【請求項６】
前記リテーナと前記アームピースとの固定部は、前記リテーナ及び前記アームピースを貫通するリベットによって締結した締結固定部である、
ことを特徴とする請求項１乃至請求項４の何れか１項に記載のワイパアーム。
【発明の詳細な説明】
【０００１】
【発明の属する技術分野】
本発明は自動車のウインドシールドガラス等を払拭するワイパ装置におけるワイパアームに係り、特に洗浄液を払拭面へ噴出するウォッシャノズルを備えたワイパアームに関する。
【０００２】
【従来の技術】
自動車のウインドシールドガラス等を払拭する車両用ワイパ装置は、ワイパアームとこのワイパアームに保持されたワイパブレードとによって構成されている。
【０００３】
ワイパアームは、アームヘッドの一端部がピボットシャフトに固定されており、アームヘッドの他端部にはリテーナが所定角度回動可能に支軸を介して連結されている。これらアームヘッドとリテーナとの間にはスプリングが取り付けられており、常にリテーナをウインドシールドガラス等の払拭面の方向へ付勢している。リテーナの先端部には、アームピースが固着されている。アームピースの先端部は略Ｕ字状に屈曲されたフックとなっており、ワイパブレードを連結保持している。一方、ワイパブレードは、払拭面に接触して払拭するブレードラバーと、このブレードラバーを保持する複数の保持レバーとによって構成されている。
【０００４】
この車両用ワイパ装置の作動時には、ワイパアーム及びワイパブレードが往復回動することにより、ブレードラバーがウインドシールドガラス面に密着しながら移動して雨滴を払拭する。
【０００５】
ところで、従来より、特にガラス面が大きく車両のウォッシャノズルから噴出される洗浄液の着水ポイントまでの距離が遠い場合、噴出される洗浄液をワイパブレードで払拭される目的ポイントにより確実に着水させるため、ワイパアームにウォッシャノズルを設けて洗浄液を噴出するようにしたウォッシャノズル付きのワイパアームが知られている（一例として、実開平６−３３７６３号公報）。
【０００６】
前記公報に示されたワイパアームにおいては、ワイパブレードで払拭される払拭面の目的ポイントに洗浄液を確実に着水させることができる。
【０００７】
しかしながら、前記公報に示された如き従来のウォッシャノズル付きのワイパアームでは、このワイパアームを構成するアームピースにウォッシャノズルのボディ部分をネジ止めや溶着によって固定したり、あるいはクランプ等の特別構造によって固定する構成となっており、ウォッシャノズルが通常はワイパアーム（アームピース）の外部（払拭面側）に突出して設けられているので、外観見栄え（デザイン性）が劣るだけでなく、払拭面に堆積して氷結した雪にワイパアーム即ち外部に突出配置されたウォッシャノズルが衝突すると損傷する恐れがある。特に、このようなウォッシャノズルは通常は樹脂製であるため、前記損傷防止のための対策は必要である。
【０００８】
そこで、外観見栄え（デザイン性）が向上ししかもウォッシャノズルの損傷をも防止することができるワイパアームとして、当該ワイパアームを一対の側壁及び上壁を有して払拭面方向に開口する断面コ字状に形成すると共に、ウォッシャノズルを当該一対の側壁の間に配置した構成のワイパアームを既に本出願人が提案している（特願２００１−２１１２９２号）。
【０００９】
前記提案したワイパアームは、一対の側壁を有した断面コ字状のリテーナと、このリテーナの先端部に固定された平板棒状のアームピースとを備えており、さらに、リテーナの断面コ字状内部（側壁の間）にウォッシャノズルを配置した構成となっている。ウォッシャノズルは、リテーナの先端側と基端側とにそれぞれ配置され、両ウォッシャノズルは配管ホースにて接続されている。このうち、先端側のウォッシャノズルは、リテーナの上壁裏面側に重合して把持固定されたアームピース上に配置固定されている。すなわち、リテーナの一対の側壁を平板状に折り返してアームピースを把持固定し、当該アームピース把持固定部分のさらに先端側に、リテーナの一対の側壁状態を残して形成し、その側壁の間でかつアームピース上に当該先端側ウォッシャノズルを固定配置した構成である。
【００１０】
これにより、ウォッシャノズルは、断面コ字状のワイパアーム（リテーナ）の内部に配置されるため、外部からの見栄えが向上し、しかも、氷雪との衝突などの外力による損傷を防止することができる。
【００１１】
ところで、前述の如き構成の提案したワイパアームでは、アームピースの先端部にはワイパブレードが取り付けられておりこのワイパブレードを介してアームピースに上下方向（払拭面に対し接離する方向：図２に矢印Ａにて示す方向）の力が作用することで（例えば、ワイパブレードが凍結などでウインドガラス面に張り付いた状態で無理矢理これを引き剥がしてロックバックさせようとするなどして）、アームピースが弾性変形または塑性変形すると、アームピースが先端側のウォッシャノズルと不要に干渉して、当該ウォッシャノズルの固定姿勢が変更されたり脱落、損傷するなどの恐れがある。仮に、例えば、当該先端側のウォッシャノズルの固定姿勢が変化してしまうと、ウォッシャノズルから噴射される洗浄液の着水点が規定の位置から外れてしまい、適正な洗浄及び払拭ができなくなることになり、このため、ノズル姿勢を調整して着水点の設定を再調整する必要がある。
【００１２】
【発明が解決しようとする課題】
本発明は上記事実を考慮し、外観見栄え（デザイン性）が向上し、しかも、ワイパアームに設けられたウォッシャノズルの損傷を防止することができると共にその固定姿勢が不要に変化することをも防止できるワイパアームを得ることが目的である。
【００１３】
【課題を解決するための手段】
請求項１に係る発明のワイパアームは、基端部がピボットシャフトに固定されるアームヘッドと、一対の側壁及び上壁を有して払拭面方向に開口する断面コ字状に形成され、払拭面から離間する方向に揺動可能に前記アームヘッドの先端部に連結されるリテーナと、基端部が前記リテーナの先端部に前記上壁の裏面に重合状態で固定され、先端部にワイパブレードが連結されるアームピースと、前記リテーナの前記一対の側壁間の内側に配置されたウォッシャノズルと、前記リテーナに沿って配索され、前記ウォッシャノズルに洗浄液を供給する配管ホースと、を備え、前記配管ホースから供給された洗浄液を前記ウォッシャノズルによって払拭面へ噴出するワイパアームにおいて、前記ウォッシャノズルは、前記リテーナと前記アームピースとの重合部分における前記アームピース上に所定の姿勢で固定配置され、前記リテーナと前記アームピースとの固定部は、前記ウォッシャノズルよりもリテーナ先端側において少なくとも１箇所設けられている、ことを特徴としている。
【００１４】
請求項１記載のワイパアームでは、払拭面方向に開口する断面コ字状のリテーナの一対の側壁間の内側に配置されたウォッシャノズルを備えており、しかも、このウォッシャノズルは、リテーナとアームピースとの重合部分におけるアームピース上に所定の姿勢で固定配置されている。またしかも、リテーナとアームピースとの固定部は、ウォッシャノズルよりもリテーナ先端側において少なくとも１箇所設けられている。
【００１５】
ここで、ウォッシャノズルは、断面コ字状のリテーナの内部に配置されるため、当該リテーナの側壁により保護され外力の影響を受け難く、氷雪との衝突などの外力による損傷を防止できる。しかも、外部からの見栄えが向上する。
【００１６】
またさらに、ウォッシャノズルよりもリテーナ先端側には、リテーナとアームピースとの固定部が少なくとも１箇所設けられているため、アームピースの弾性変形または塑性変形による撓みが、ウォッシャノズル固定部分よりも先端を支点として（ウォッシャノズルよりもリテーナ先端側に設けられたリテーナとアームピースとの固定部を支点として）行われるため、アームピースの前記撓みがウォッシャノズルの固定姿勢に影響を及ぼすことが無く、その固定姿勢が不要に変化することを防止できる。
【００１７】
したがって、例えば、仮に、ワイパブレードが凍結などでウインドガラス面に張り付いた状態で無理矢理これを引き剥がしてロックバックさせようとするなどしてアームピースが弾性変形または塑性変形しても、アームピースがウォッシャノズルと不要に干渉することがなく、ウォッシャノズルの固定姿勢が変更されたり脱落、損傷するなどの恐れがなくなる。またこのため、ウォッシャノズルから噴射される洗浄液の着水点が規定の位置から外れてしまうことがなく、適正な洗浄及び払拭を維持することができる。
【００１８】
このように、請求項１記載のワイパアームでは、外観見栄え（デザイン性）が向上し、しかも、ワイパアームに設けられたウォッシャノズルの損傷を防止することができると共にその固定姿勢が不要に変化することをも防止でき、適正な洗浄及び払拭を維持することができる。
【００１９】
請求項２に係る発明のワイパアームは、請求項１記載のワイパアームにおいて、前記ウォッシャノズルは、前記リテーナの先端側に配置された第１ウォッシャノズルと前記リテーナの基端側に配置された第２ウォッシャノズルとを備え、前記配管ホースによって前記第２ウォッシャノズルを経由して前記第１ウォッシャノズルに前記洗浄液が供給されると共に前記第１ウォッシャノズル及び第２ウォッシャノズルから前記払拭面へ前記洗浄液を噴出する、ことを特徴としている。
【００２０】
請求項２記載のワイパアームでは、第１ウォッシャノズル及び第２ウォッシャノズルから払拭面へ洗浄液を噴出するため、広い払拭面に対して複数の適切な位置に洗浄液を噴射（着水）することができる。したがって、適正な洗浄及び払拭を維持することができる。
【００２１】
請求項３に係る発明のワイパアームは、請求項２記載のワイパアームにおいて、前記リテーナの一対の側壁と前記第１ウォッシャノズル及び第２ウォッシャノズルとは互いに嵌合し合う凹凸部が設けられ、前記凹凸部は、互いに嵌合した状態において前記第１ウォッシャノズル及び第２ウォッシャノズルを前記リテーナに対して回転不能に保持する形状を成している、ことを特徴としている。
【００２２】
請求項３記載のワイパアームでは、凹凸部が互いに嵌合することで第１ウォッシャノズル及び第２ウォッシャノズルがリテーナの側壁間に固定されるが、この凹凸部の形状によって嵌合だけで各ウォッシャノズルはリテーナに対して回転不能に保持されるため、各ウォッシャノズルの噴射口の位置ズレ（噴射方向のズレ）を防止することができる。したがって、洗浄液の着水点が振動などで意に反して変更されてしまうことを防止できる。
【００２３】
また、このように単に凹凸部を互いに嵌合させるだけで取付け固定が完了するため、ウォッシャノズルの固定を特別な別部品を要せず容易に行なうことができる（ワンタッチの簡単な取付構造とすることができる）。さらに、凹凸部を予め所定位置に設けることにより、ウォッシャノズルの取付位置の位置決めを行なうことが可能になる。
【００２４】
請求項４に係る発明のワイパアームは、請求項２または請求項３記載のワイパアームにおいて、前記リテーナと前記アームピースとの固定部は、前記第１ウォッシャノズルを挟んでリテーナの長手方向両側に設けられている、ことを特徴としている。
【００２５】
請求項４記載のワイパアームでは、リテーナとアームピースとの固定部が、第１ウォッシャノズルを挟んでリテーナの長手方向両側に設けられているため、リテーナとアームピースとの固定がより一層強固になり、アームピースの撓みが第１ウォッシャノズル及び第２ウォッシャノズルの固定姿勢に影響を及ぼすことが一層防止され、その固定姿勢が不要に変化することを一層確実に防止できる。
【００２６】
請求項５に係る発明のワイパアームは、請求項１乃至請求項４の何れか１項に記載のワイパアームにおいて、前記リテーナと前記アームピースとの固定部は、前記アームピースを前記リテーナの前記上壁裏面に重合した状態で前記リテーナの前記一対の側壁をそれぞれ内側に平板状に折り返して把持した把持固定部である、ことを特徴としている。
【００２７】
請求項５記載のワイパアームでは、他の特別な固定部品を用いることなく簡単な構造によってリテーナとアームピースとを把持固定することができ、また、見栄えが悪化することもない。
【００２８】
請求項６に係る発明のワイパアームは、請求項１乃至請求項４の何れか１項に記載のワイパアームにおいて、前記リテーナと前記アームピースとの固定部は、前記リテーナ及び前記アームピースを貫通するリベットによって締結した締結固定部である、ことを特徴としている。
【００２９】
請求項６記載のワイパアームでは、簡単な構造によってリテーナとアームピースとを締結固定することができる。
【００３０】
【発明の実施の形態】
図１には本発明の第１の実施の形態に係るワイパアーム１０の全体構成が裏面図にて示されている。また、図２にはこのワイパアーム１０の主要部分の構成が斜視図にて示されている。
【００３１】
ワイパアーム１０は、アームヘッド１２及びリテーナ１４を備えている。アームヘッド１２は、その一端部が、車体に設けられた回動軸としてのピボットシャフト(図示省略）に固定されており、常にピボットシャフトと共に回動する。アームヘッド１２の裏面側一端部には、前記ピボットシャフトの周囲を囲繞するスカート部１６が形成されており、また、裏面側中央部には長手方向に沿って波状に長孔１８が形成されており後述する配管ホース４６の配索用となっている。
【００３２】
アームヘッド１２の他端部には、リテーナ１４がウインドシールドガラスに接近及び離間する方向に所定角度回動可能に支軸Ｑを介して連結されている。このリテーナ１４は、一対の側壁２２及び上壁２４を有してその裏面側が下方（払拭面方向）へ向けて開口する断面コ字状に形成されている。また、リテーナ１４の一対の側壁２２の長手方向中間部分には、後述する第２ウォッシャノズルとしての中間ウォッシャノズル３４に対応して、楕円形（長円形）の凹部２６及び案内スロープ溝２７が設けられており、さらに、リテーナ１４の一対の側壁２２の長手方向先端部分には、同様に後述する第１ウォッシャノズルとしての先端ウォッシャノズル３６に対応して、楕円形（長円形）の凹部２８及び案内スロープ溝２９が設けられている。
【００３３】
さらに、リテーナ１４とアームヘッド１２との間には、スプリング３０が掛け渡されている。このスプリング３０は所謂引張りコイルスプリングとされており、そのコイル部３０Ａがリテーナ１４の断面コ字状内に配置されて常にリテーナ１４をウインドシールドガラスの払拭面の方向へ付勢している。
【００３４】
また、リテーナ１４の先端部には、リテーナ１４と共にワイパアーム１０を構成する平板状の長尺金属材よりなるアームピース３２が固着されている。アームピース３２は、その基端部がリテーナ１４の先端部に上壁２４の裏面に重合され、しかも一対の側壁２２の一部によって握持されるようにカシメられた第１固定部３３及び第２固定部３５によって固着されている。このリテーナ１４とアームピース３２との固定部である第１固定部３３及び第２固定部３５は、図３に示すように、アームピース３２の平板平面をリテーナ１４の上壁２４裏面に重合した状態でリテーナ１４の一対の側壁２２をそれぞれ内側に平板状に折り返して把持した把持固定部である。
【００３５】
さらに、アームピース３２の先端部は略Ｕ字状に屈曲されてフック（図示省略）となっており、ワイパブレードをクリップ部材（何れも図示省略）を介して連結保持している。そして、アームピース３２の基端側は、上述のようにリテーナ１４の第１固定部３３と第２固定部３５によって固定されており、さらに第２固定部３５よりもリテーナ１４の基端側に延出してその端部が折曲起立している。この端部には上述したスプリング３０の一端が図１に示すように係止されている。
【００３６】
またさらに、上記構成のワイパアーム１０には、第２ウォッシャノズルとしての中間ウォッシャノズル３４及び第１ウォッシャノズルとしての先端ウォッシャノズル３６が設けられている。
【００３７】
図２に詳細に示す如く、中間ウォッシャノズル３４にはその側部に凸部３８が形成されており、前述したリテーナ１４の凹部２６に嵌合する。すなわち、中間ウォッシャノズル３４は、リテーナ１４内部の一対の側壁２２の間に配置され、凹部２６に対応する楕円形（長円形）の凸部３８が嵌合することで、リテーナ１４に対して回転不能に保持された構成となっている。さらに、中間ウォッシャノズル３４にはその頂部（リテーナ１４の上壁２４の側）に一対の押圧片４０が一体に形成されている。これら一対の押圧片４０は、凸部３８に対して互いに反対方向へ向けて延出されており、リテーナ１４の上壁２４の裏面に重合されたアームピース３２に弾性押圧状態で接触している。これにより、凹部２６及び凸部３８による中間ウォッシャノズル３４の嵌合保持部分を軸として、互いに反対回転方向に押圧し合うように構成されている。
【００３８】
この中間ウォッシャノズル３４は、導入ニップル４８から導出ニップル５０に連通する本流路５１と、この本流路５１から分岐して噴射口５５に連通する分流路５３とを有する構成となっている。
【００３９】
一方、先端ウォッシャノズル３６にも同様にその側部に凸部４２が形成されており、前述したリテーナ１４の凹部２８に嵌合する。すなわち、先端ウォッシャノズル３６は、リテーナ１４内部の一対の側壁２２の間に配置され、凹部２８に凸部４２が嵌合することで、リテーナ１４に対して回転不能に保持された構成となっている。さらに、先端ウォッシャノズル３６にはその頂部（リテーナ１４の上壁２４の側）に一対の押圧片４４が一体に形成されている。これら一対の押圧片４４は、凸部４２に対して互いに反対方向へ向けて延出されており、リテーナ１４の上壁２４の裏面に重合されたアームピース３２に弾性押圧状態で接触している。これにより、凹部２８及び凸部４２による先端ウォッシャノズル３６の嵌合保持部分を軸として、互いに反対回転方向に押圧し合うように構成されている。
【００４０】
またここで、リテーナ１４と重合するアームピース３２上に所定の姿勢で固定配置されたリテーナ１４先端側の先端ウォッシャノズル３６は、前記リテーナ１４とアームピース３２との第１固定部３３よりもリテーナ１４基端側に設けられている、すなわち、リテーナ１４とアームピース３２との第１固定部３３は、先端ウォッシャノズル３６よりもリテーナ１４先端側に設けられた構成となっている。さらに、リテーナ１４とアームピース３２との第２固定部３５は、先端ウォッシャノズル３６よりもリテーナ１４基端側（中間ウォッシャノズル３４の側））に設けられている、すなわち、リテーナとアームピースとの第１固定部３３と第２固定部３５とは、先端ウォッシャノズル３６を挟んでリテーナ１４長手方向両側に設けられた構成となっている。
【００４１】
中間ウォッシャノズル３４には、配管ホース４６の一端が連結されている。この配管ホース４６は、車体内に設けられた図示を省略したウォッシャタンクにウォッシャポンプを介して接続されており、ピボットシャフトの近傍に設けられた車両ボディのホース取出し口から車体外へ引き出され、さらに、アームヘッド１２の裏面側に導入され、長孔１８に挟持されて側壁２２内側に沿って配設されている。さらに、側壁２２内側に沿って配設された配管ホース４６は、前述したスプリング３０のコイル部を貫通してリテーナ１４先端側に導出されて中間ウォッシャノズル３４の導入ニップル４８に接続された構成となっている。さらに、中間ウォッシャノズル３４の導出ニップル５０には補助ホース５２の一端が連結されており、この補助ホース５２の他端は先端ウォッシャノズル３６の導入ニップル５４に接続されている。これにより、配管ホース４６を介して中間ウォッシャノズル３４に洗浄液を配送することができると共に、補助ホース５２を介して先端ウォッシャノズル３６に洗浄液を配送することができる構成である。
【００４２】
次に本第１の実施の形態の作用を説明する。
【００４３】
上記構成のワイパアーム１０が用いられたワイパ装置では、ピボットシャフトの回動に伴ってワイパアーム１０が往復回動することにより、ワイパブレードが往復回動してウインドシールドガラス面の雨滴等を払拭する。
【００４４】
ここで、このワイパアーム１０では、中間ウォッシャノズル３４及び先端ウォッシャノズル３６が一体に設けられているため、ワイパブレードの払拭範囲が大きくても、中間ウォッシャノズル３４及び先端ウォッシャノズル３６から噴出される洗浄液を、ワイパブレードで払拭される目的ポイントに確実に着水させることができる。
【００４５】
またここで、このワイパアーム１０では、中間ウォッシャノズル３４及び先端ウォッシャノズル３６は、払拭面方向に開口する断面コ字状のリテーナ１４内部の一対の側壁２２の間に配置され、凹部２６及び凸部３８が互いに嵌合することで中間ウォッシャノズル３４が保持されると共に、凹部２８及び凸部４２が互いに嵌合することで先端ウォッシャノズル３６が保持される。このように、単に凹部２６及び凸部３８、あるいは凹部２８及び凸部４２を互いに嵌合させるだけで取付け固定が完了するため、中間ウォッシャノズル３４及び先端ウォッシャノズル３６の固定を特別な別部品を要せず容易に行なうことができる。また、これらの中間ウォッシャノズル３４及び先端ウォッシャノズル３６は、断面コ字状のリテーナ１４の内部に配置されるため、外部からの見栄えが向上する。しかも、氷雪との衝突などの外力による損傷を防止できる。
【００４６】
また、中間ウォッシャノズル３４及び先端ウォッシャノズル３６は、凹部２６及び凸部３８、あるいは凹部２８及び凸部４２が互いに嵌合することで保持されて固定されるため、中間ウォッシャノズル３４や先端ウォッシャノズル３６をリテーナ１４に装着する際の取付位置の位置決めを行なうことができる。
【００４７】
さらに、これらの凹部２６及び凸部３８あるいは凹部２８及び凸部４２は、互いに嵌合した状態において中間ウォッシャノズル３４や先端ウォッシャノズル３６をリテーナ１４に対して回転不能に保持する楕円形（長円形）すなわち非円形または非円環形の断面形状に形成されているため、中間ウォッシャノズル３４や先端ウォッシャノズル３６の噴射口の位置ズレ（噴射方向のズレ）を防止することができる。したがって、洗浄液の着水点が振動などで意に反して変更されてしまうことを防止できる。
【００４８】
またさらに、中間ウォッシャノズル３４は、リテーナ１４の上壁２４の裏面に重合されたアームピース３２に弾性押圧状態で接触する一対の押圧片４０を一体に有しており、また、先端ウォッシャノズル３６は同様の一対の押圧片４４を一体に有している。これら一対の押圧片４０、押圧片４４は、端部にそれぞれ突起４０Ａ、あるいは突起４４Ａを有しており、中間ウォッシャノズル３４や先端ウォッシャノズル３６をリテーナ１４の側壁２２に取り付ける際に、この突起４０Ａあるいは突起４４Ａが上壁２４裏面のアームピース３２に当接し、更に押圧すると押圧片４０あるいは押圧片４４が撓んで凸部３８あるいは凸部４２がそれぞれ凹部２６あるいは凹部２８に嵌合する。このため、これらの一対の押圧片４０によって中間ウォッシャノズル３４は前記凹部２６及び凸部３８による嵌合保持部分を中心に回動しようとする力が釣合い、中間ウォッシャノズル３４の回動を阻止させつつも中間ウォッシャノズル３４がリテーナ１４高さ方向にガタつくことをも防止することができる。またこれと同様に、一対の押圧片４４によって先端ウォッシャノズル３６は前記凹部２８及び凸部４２による嵌合保持部分を中心に回動しようとする力が釣合い、先端ウォッシャノズル３６の回動を阻止させつつも先端ウォッシャノズル３６がリテーナ１４高さ方向にガタつくことをも防止することができる。
【００４９】
またここで、このワイパアーム１０では、リテーナ１４とアームピース３２との第１固定部３３は、先端ウォッシャノズル３６よりもリテーナ１４先端側に設けられており、しかも、この第１固定部３３と第２固定部３５とは、先端ウォッシャノズル３６を挟んでリテーナ１４長手方向両側に設けられた構成となっている。このため、アームピース３２の弾性変形または塑性変形による撓みが、先端ウォッシャノズル３６固定部分（凹部２８及び凸部４２による嵌合保持部分）よりも先端を支点として（先端ウォッシャノズル３６よりもリテーナ１４先端側に設けられた第１固定部３３を支点として）行われるため、アームピース３２の前記撓みが先端ウォッシャノズル３６及び中間ウォッシャノズル３４の固定姿勢に影響を及ぼすことが無く、その固定姿勢が不要に変化することを防止できる。
【００５０】
しかも、このワイパアーム１０では、リテーナ１４とアームピース３２との第１固定部３３と第２固定部３５とは、先端ウォッシャノズル３６を挟んでリテーナ１４長手方向両側に設けられた構成となっているため、リテーナ１４とアームピース３２との固定がより一層強固になり、アームピース３２の撓みが先端ウォッシャノズル３６及び中間ウォッシャノズル３４の固定姿勢に影響を及ぼすことが一層防止され、その固定姿勢が不要に変化することを一層確実に防止できる。
【００５１】
したがって、例えば、仮に、ワイパブレードが凍結などでウインドガラス面に張り付いた状態で無理矢理これを引き剥がしてロックバックさせようとするなどしてアームピース３２が弾性変形または塑性変形しても、アームピース３２が先端ウォッシャノズル３６及び中間ウォッシャノズル３４（特に、先端側の先端ウォッシャノズル３６）と不要に干渉することがなく、両ウォッシャノズルの固定姿勢が変更されたり脱落、損傷するなどの恐れがなくなる。またこのため、両ウォッシャノズルから噴射される洗浄液の着水点が規定の位置から外れてしまうことがなく、適正な洗浄及び払拭を維持することができる。
【００５２】
またさらに、前述した如きリテーナ１４とアームピース３２との第１固定部３３と第２固定部３５は、アームピース３２をリテーナ１４の上壁２４裏面に重合した状態でリテーナ１４の一対の側壁２２をそれぞれ内側に平板状に折り返して把持した把持固定部であるため、他の特別な固定部品を用いることなく簡単な構造によってリテーナ１４とアームピース３２とを把持固定することができ、また、見栄えが悪化することもない。
【００５３】
このように、本第１の実施の形態に係るワイパアーム１０では、外観見栄え（デザイン性）が向上し、しかも、ワイパアーム１０に設けられた先端ウォッシャノズル３６及び中間ウォッシャノズル３４の損傷を防止することができると共にその固定姿勢が不要に変化することをも防止でき、適正な洗浄及び払拭を維持することができる。
【００５４】
次に、図４には本発明の第２の実施の形態に係るワイパアーム１３０の主要部分の構成が斜視図にて示されている。
【００５５】
ワイパアーム１３０は、第１の実施の形態に係るワイパアーム１０と基本的に同様の構成となっているが、アームピース３２は、その基端部がリテーナ１４の先端部に上壁２４の裏面に重合され、しかも第１固定部１３２及び第２固定部１３４によって固着されている。このリテーナ１４とアームピース３２との固定部である第１固定部１３２及び第２固定部１３４は、アームピース３２をリテーナ１４の上壁２４裏面に重合した状態でリテーナ１４及びアームピース３２を貫通するリベット１３６によって締結した締結固定部である。
【００５６】
また、このワイパアーム１３０においても、リテーナ１４と重合するアームピース３２上に所定の姿勢で固定配置されたリテーナ１４先端側の先端ウォッシャノズル３６は、前記リテーナ１４とアームピース３２との第１固定部１３２よりもリテーナ１４基端側に設けられている、すなわち、リテーナ１４とアームピース３２との第１固定部１３２は、先端ウォッシャノズル３６よりもリテーナ１４先端側に設けられた構成となっている。さらに、リテーナ１４とアームピース３２との第２固定部１３４は、先端ウォッシャノズル３６よりもリテーナ１４基端側（中間ウォッシャノズル３４の側））に設けられている、すなわち、リテーナとアームピースとの第１固定部１３２と第２固定部１３４とは、先端ウォッシャノズル３６を挟んでリテーナ１４長手方向両側に設けられた構成となっている。
【００５７】
上記構成のワイパアーム１３０では、リテーナ１４とアームピース３２との第１固定部１３２は、先端ウォッシャノズル３６よりもリテーナ１４先端側に設けられており、しかも、この第１固定部１３２と第２固定部１３４とは、先端ウォッシャノズル３６を挟んでリテーナ１４長手方向両側に設けられた構成となっているため、アームピース３２の弾性変形または塑性変形による撓みが、先端ウォッシャノズル３６固定部分（凹部２８及び凸部４２による嵌合保持部分）よりも先端を支点として（先端ウォッシャノズル３６よりもリテーナ１４先端側に設けられた第１固定部１３２を支点として）行われるため、アームピース３２の前記撓みが先端ウォッシャノズル３６及び中間ウォッシャノズル３４の固定姿勢に影響を及ぼすことが無く、その固定姿勢が不要に変化することを防止でき、両ウォッシャノズルから噴射される洗浄液の着水点が規定の位置から外れてしまうことがなく、適正な洗浄及び払拭を維持することができる。
【００５８】
このように、本第２の実施の形態に係るワイパアーム１３０では、外観見栄え（デザイン性）が向上し、しかも、ワイパアーム１３０に設けられた先端ウォッシャノズル３６及び中間ウォッシャノズル３４の損傷を防止することができると共にその固定姿勢が不要に変化することをも防止でき、適正な洗浄及び払拭を維持することができる。
【図面の簡単な説明】
【図１】本発明の第１の実施の形態に係るワイパアームの全体構成を示す裏面図である。
【図２】本発明の第１の実施の形態に係るワイパアームの主要部分の構成を示す斜視図である。
【図３】本発明の第１の実施の形態に係るワイパアームの主要部分の構成を示す図１の３−３線に沿った断面図である。
【図４】本発明の第２の実施の形態に係るワイパアームの主要部分の構成を示す斜視図である。
【符号の説明】
１０…ワイパアーム、１２…アームヘッド、１４…リテーナ、２２…側壁、２４…上壁、２６…凹部、２８…凹部、３２…アームピース、３３…第１固定部、３４…中間ウォッシャノズル（第２ウォッシャノズル）、３５…第２固定部、３６…先端ウォッシャノズル（第１ウォッシャノズル）、３８…凸部、４２…凸部、４６…配管ホース
【図１】
0003884994.tif 000002
【図２】
0003884994.tif 000003
【図３】
0003884994.tif 000004
【図４】
0003884994.tif 000005